(57)【要約】【課題】  キャビネットにインターフェースカバーを容易に取り付けることが出来、然も取付け後はインターフェースカバーが外れることのない携帯型通信端末機を提供する。【解決手段】  本発明に係る携帯型通信端末機は、キャビネット１の開口部４を塞ぐインターフェースカバー３と、該インターフェースカバー３に抜け止めを施す抜け止め片８とを具えている。インターフェースカバー３は、カバー部31の端部にアーム部32を突設して形成されている。キャビネット１には、インターフェースカバー３のアーム部32が挿入されるべき第１の挿入孔41と、抜け止め片８の先端部が挿入されるべき第２の挿入孔17とが開設され、該挿入孔17から抜け止め片８の先端部が挿入されることによって、インターフェースカバー３のアーム部32とキャビネット１の壁面16との離脱が阻止されて、インターフェースカバー３に抜け止めが施されている。【選択図】      図３
2005159895.tif 000002
【特許請求の範囲】
【請求項１】
キャビネット(１)の背面に凹設された電池パック収容室(13)に電池パック(７)が着脱可能に装填され、キャビネット(１)の端面に形成された開口部(４)から露出するインターフェース(５)にインターフェースコネクターを接続することにより、充電及び／又はデータ通信が可能となる携帯型通信端末機において、
前記開口部(４)を塞ぐ弾性材料からなるインターフェースカバー(３)と、該インターフェースカバー(３)に抜け止めを施す抜け止め片(８)とを具え、インターフェースカバー(３)は、前記開口部(４)を塞ぐカバー部(31)の端部にアーム部(32)を突設して形成され、キャビネット(１)には、前記開口部(４)の近傍位置に、インターフェースカバー(３)のアーム部(32)が挿入されるべき第１の挿入孔(41)が開設され、該挿入孔(41)の奥部には、インターフェースカバー(３)のアーム部(32)を収容すべきアーム部収容室(18)が形成され、インターフェースカバー(３)のアーム部(32)とアーム部収容室(18)の壁面(16)とが互いに係合し、アーム部収容室(18)は電池パック収容室(13)に開口する第２の挿入孔(17)に連通し、該挿入孔(17)からアーム部収容室(18)へ抜け止め片(８)の先端部が挿入されることによって、インターフェースカバー(３)のアーム部(32)とアーム部収容室(18)の壁面(16)との離脱が阻止されて、インターフェースカバー(３)に抜け止めが施されていることを特徴とする携帯型通信端末機。
【請求項２】
アーム部収容室(18)の壁面(16)には凸部(15)が形成されると共に、インターフェースカバー(３)のアーム部(32)には、前記凸部(15)が係合すべき凹部(33)が形成されている請求項１に記載の携帯型通信端末機。
【請求項３】
アーム部収容室(18)には、インターフェースカバー(３)のアーム部(32)と抜け止め片(８)の先端部とが互いに重ね合わされた状態で圧入され、抜け止め片(８)の先端部によってインターフェースカバー(３)のアーム部(32)がアーム部収容室(18)の壁面(16)に押し付けられている請求項１又は請求項２に記載の携帯型通信端末機。
【請求項４】
抜け止め片(８)は、前記第２の挿入孔(17)からアーム部収容室(18)へ挿入されるべき楔状部(81)の基端部に、電池パック収容室(13)へ臨出する摘み部(82)を突設して構成されている請求項１乃至請求項３の何れかに記載の携帯型通信端末機。
【発明の詳細な説明】
【技術分野】
【０００１】
本発明は、携帯電話機の如く、インターフェースコネクターを接続することによって充電やデータ通信等を行なうことが出来る携帯型通信端末機に関するものである。
【背景技術】
【０００２】
従来の携帯電話機においては、図６及び図７に示す如く、キャビネット(10)に、インターフェースコネクター(図示省略)を接続すべきインターフェース(５)が内蔵されると共に、インターフェース(５)を露出させるための開口部(４)が設けられ、該開口部(４)は、弾性材料からなるインターフェースカバー(６)によって塞がれている(特許文献１参照)。
【０００３】
インターフェースカバー(６)は、キャビネット(10)の開口部(４)を塞ぐためのカバー部(60)を具え、該カバー部(60)の端部にはアーム部(61)が突設されている。キャビネット(10)の開口部(４)の近傍には、インターフェースカバー(６)のアーム部(61)を挿入すべき挿入路(40)が設けられ、該挿入路(40)の途中には、アーム部(61)と係合すべき一対の突起部(52)(52)が形成されている。
更にインターフェースカバー(６)には、アーム部(61)の両側部に突片部(63)(63)が形成され、該突片部(63)(63)には、夫々カバー部(60)と対向する面にフック部(62)が突設されると共に、該フック部(62)と反対側の面には斜面(64)が形成されている。
【０００４】
上記携帯電話機においては、インターフェースカバー(60)をキャビネット(10)に取り付ける工程にて、先ずキャビネット(10)の挿入路(40)にインターフェースカバー(６)のアーム部(61)が挿入され、これによって、該アーム部(61)の突片部(63)(63)に形成された斜面(64)(64)が、挿入路(40)の途中に設けられた突起部(52)(52)に接触する。更にアーム部(61)を挿入路(40)の奥方へ挿入すると、突片部(63)(63)は両突起部(52)(52)の間に納まる形状まで弾性変形する。更に、突片部(63)(63)が突起部(52)(52)を超える位置までアーム部(61)を押し込むと、突片部(63)(63)は弾性復元力によって元の形状に戻り、図８及び図９に示す如く、フック部(62)(62)が突起部(52)(52)に引掛って両者の係合が完了する。
上記の係合構造を具えた携帯電話機によれば、キャビネット(10)を組み立てた後に該キャビネット(10)に対してインターフェースカバー(６)を容易に取り付けることが出来る。
【特許文献１】特開２００２−１４１１４０号公報
【発明の開示】
【発明が解決しようとする課題】
【０００５】
しかしながら、上記特許文献１の携帯電話機における突起部(52)(52)とフック部(62)(62)との係合構造においては、インターフェースカバー(６)のアーム部(61)をキャビネット(10)の挿入路(40)から引き抜く方向に力が加えられたとき、突片部(63)(63)がアーム部(61)の挿入時と同様に弾性変形して、突起部(52)とフック部(62)との係合が容易に外れてしまう問題があった。
インターフェースカバー(６)をネジ止め等によってキャビネット(10)に固定すれば容易に外れることはないが、携帯電話機の製造工程においてキャビネット(10)を組み立てた後に該キャビネット(10)に対してインターフェースカバー(６)を取り付ける工程をとることが出来なくなる。
【０００６】
そこで本発明の目的は、キャビネットを組み立てた後に該キャビネットに対してインターフェースカバーを容易に取り付けることが出来、然も取付け後はインターフェースカバーが外れることのない携帯型通信端末機を提供することである。
【課題を解決するための手段】
【０００７】
本発明に係る携帯型通信端末機においては、キャビネット(１)の背面に凹設された電池パック収容室(13)に電池パック(７)が着脱可能に装填され、キャビネット(１)の端面に形成された開口部(４)から露出するインターフェース(５)にインターフェースコネクターを接続することにより、充電及び／又はデータ通信が可能となる。
【０００８】
本発明に係る携帯型通信端末機は、前記開口部(４)を塞ぐ弾性材料からなるインターフェースカバー(３)と、該インターフェースカバー(３)に抜け止めを施す抜け止め片(８)とを具えている。
インターフェースカバー(３)は、前記開口部(４)を塞ぐカバー部(31)の端部にアーム部(32)を突設して形成されている。キャビネット(１)には、前記開口部(４)の近傍位置に、インターフェースカバー(３)のアーム部(32)が挿入されるべき第１の挿入孔(41)が開設され、該挿入孔(41)の奥部には、インターフェースカバー(３)のアーム部(32)を収容すべきアーム部収容室(18)が形成され、インターフェースカバー(３)のアーム部(32)とアーム部収容室(18)の壁面(16)とが互いに係合している。
アーム部収容室(18)は電池パック収容室(13)に開口する第２の挿入孔(17)に連通し、該挿入孔(17)からアーム部収容室(18)へ抜け止め片(８)の先端部が挿入されることによって、インターフェースカバー(３)のアーム部(32)とアーム部収容室(18)の壁面(16)との離脱が阻止されて、インターフェースカバー(３)に抜け止めが施されている。
【０００９】
上記本発明の携帯型通信端末機の製造工程においては、キャビネット(１)を組み立てた後、インターフェースカバー(３)のアーム部(32)をキャビネット(１)の第１の挿入孔(41)からアーム部収容室(18)へ挿入することによって、アーム部(32)が弾性変形及び弾性復帰を伴ってアーム部収容室(18)内に収容され、この状態でアーム部(32)がアーム部収容室(18)の壁面(16)と係合する。又、インターフェースカバー(３)のカバー部(31)によってキャビネット(１)の開口部(４)が塞がれることになる。
次に、キャビネット(１)の電池パック収容室(13)を露出させた状態で、抜け止め片(８)の先端部を第２の挿入孔(17)からアーム部収容室(18)内へ挿入する。これによって、インターフェースカバー(３)のアーム部(32)がアーム部収容室(18)の壁面(16)に押し付けられて、アーム部(32)と壁面(16)との離脱が阻止され、この結果、インターフェースカバー(３)に抜け止めが施されることになる。
最後に、電池パック収容室(13)に電池パック(７)を装填すると、電池パック(７)の端部が抜け止め片(８)の頭部に当接し若しくは対向して、抜け止め片(８)自体の抜け止めが施される。
【００１０】
この様にして組み立てられた携帯通信端末機においては、インターフェースカバー(３)に引き抜き方向の力が作用したとしても、抜け止め片(８)によってインターフェースカバー(３)のアーム部(32)とアーム部収容室(18)の壁面(16)との離脱が阻止されており、両者の係合状態が保持されるので、インターフェースカバー(３)がキャビネット(１)から外れることはない。
【００１１】
例えば、インターフェースカバー(３)のアーム部(32)とアーム部収容室(18)の壁面(16)との係合構造は、アーム部収容室(18)の壁面(16)に形成した凸部(15)と、インターフェースカバー(３)のアーム部(32)に形成した凹部(33)とによって構成することが出来る。
【００１２】
又、抜け止め片(８)による抜け止め構造としては、アーム部収容室(18)に対し、インターフェースカバー(３)のアーム部(32)と抜け止め片(８)の先端部とを互いに重ね合わせて圧入し、抜け止め片(８)の先端部によってインターフェースカバー(３)のアーム部(32)をアーム部収容室(18)の壁面(16)に押し付ける構成を採用することが出来る。
【００１３】
又、抜け止め片(８)の具体的構造としては、第２の挿入孔(17)からアーム部収容室(18)へ挿入されるべき楔状部(81)の基端部に、電池パック収容室(13)へ臨出する摘み部(82)を突設した構成を採用することが出来る。
【発明の効果】
【００１４】
本発明に係る携帯型通信端末機によれば、キャビネットを組み立てた後に該キャビネットの２つの挿入孔にインターフェースカバーのアーム部及び抜け止め片の先端部を挿入するだけで、容易にインターフェースカバーを取り付けることが出来、然も取付け後は引き抜き力の作用によってもインターフェースカバーが外れることはない。
【発明を実施するための最良の形態】
【００１５】
以下、本発明を折り畳み式携帯電話機に実施した形態につき、図面に沿って具体的に説明する。
本発明に係る折り畳み式携帯電話機は、図１に示す如く、本体キャビネット(１)にヒンジ機構(23)を介して蓋体キャビネット(２)を連結して構成され、本体キャビネット(１)の表面と蓋体キャビネット(２)の表面を互いに対向させて折り畳むことが可能となっている。
【００１６】
本体キャビネット(１)の表面には、複数の操作キー(11)が配備されると共に、これらの操作キー(11)の下方位置に送話部(12)が設置されている。一方、蓋体キャビネット(２)の表面には、ディスプレイ(21)が配備され、該ディスプレイ(21)の上方位置に受話部(22)が設置されている。
【００１７】
図２に示す如く、本体キャビネット(１)の背面には電池パック(７)が取り付けられており、該電池パック(７)はスライド操作片(14)の操作によって着脱操作が可能である。
又、本体キャビネット(１)の下方端部には、インターフェースコネクターを接続するためのインターフェース(図示省略)が内蔵され、該インターフェースを露出させるための開口部(４)には、弾性材料を成型してなるインターフェースカバー(３)が開閉可能に取り付けられている。
【００１８】
図３に示す如く、インターフェースカバー(３)は、本体キャビネット(１)の開口部(４)を覆うカバー部(31)と、該カバー部(31)の端部に突設されたアーム部(32)とから構成され、アーム部(32)には、貫通孔からなる凹部(33)が形成されている。
一方、本体キャビネット(１)には、開口部(４)の近傍位置に、インターフェースカバー(３)のアーム部(32)を挿入するための第１の挿入孔(41)が開設されている。
【００１９】
又、本体キャビネット(１)には、前記第１の挿入孔(41)との対向位置に、電池パック収容室(13)に開口する第２の挿入孔(17)が開設され、該挿入孔(17)から本体キャビネット(１)の内部へ、インターフェースカバー(３)に抜け止めを施すための抜け止め片(８)を挿入することが可能である。
抜け止め片(８)は弾性材料を成型してなり、挿入孔(17)から本体キャビネット(１)内へ挿入すべき楔状部(81)の基端部に、電池パック収容室(13)に臨出する摘み部(82)を突設して、全体がＬ字状に形成されている。
【００２０】
図４に示す如く本体キャビネット(１)にインターフェースカバー(３)を取り付けた状態で、電池パック収容室(13)から本体キャビネット(１)内へ抜け止め片(８)を挿入することによって、後述の如くインターフェースカバー(３)に抜け止めが施される。
【００２１】
図５(ａ)に示す如く、本体キャビネット(１)の開口部(４)の奥方には、インターフェース(５)が設置されており、該インターフェース(５)の上面(51)と本体キャビネット(１)の壁面(16)との間に、インターフェースカバー(３)のアーム部(32)を収容すべきアーム部収容室(18)が形成されている。又、本体キャビネット(１)の壁面(16)にはアーム部収容室(18)へ向けて凸部(15)が突設されている。
該アーム部収容室(18)は、その前後両端部が前述の第１の挿入孔(41)と第２の挿入孔(17)に連通しており、第１の挿入孔(41)から挿入されたインターフェースカバー(３)のアーム部(32)をアーム部収容室(18)に収容すると共に、第２の挿入孔(17)から挿入された抜け止め片(８)の楔状部(81)をアーム部収容室(18)に収容することが可能となっている。
【００２２】
本発明に係る折り畳み式携帯電話機の製造工程においては、本体キャビネット(１)を組み立てた後、該本体キャビネット(１)の第１の挿入孔(41)からアーム部収容室(18)へインターフェースカバー(３)のアーム部(32)を挿入することによって、アーム部(32)は弾性変形及び弾性復帰を伴って図５(ｂ)の如くアーム部収容室(18)に収容され、その上面が本体キャビネット(１)の壁面(16)に密着すると共に、壁面(16)の凸部(15)にアーム部(32)の凹部(33)が係合することになる。
【００２３】
その後、電池パック収容室(13)に開口する第２の挿入孔(17)からアーム部収容室(18)へ抜け止め片(８)の楔状部(81)を圧入することによって、該楔状部(81)は、図５(ｂ)の如くインターフェースカバー(３)のアーム部(32)の下方へ潜り込み、該楔状部(81)によってインターフェースカバー(３)のアーム部(32)が押し上げられることなる。
この結果、インターフェースカバー(３)のアーム部(32)が本体キャビネット(１)の壁面(16)に押し付けられ、これによってアーム部(32)の凹部(33)と壁面(16)の凸部(15)との離脱が阻止され、インターフェースカバー(３)に抜け止めが施されることになる。
最後に、図５(ｃ)の如く、電池パック収容室(13)に電池パック(７)を装填する。これによって、電池パック(７)の端部が抜け止め片(８)の摘み部(82)に当接して、抜け止め片(８)自体の抜け止めが施される。
【００２４】
インターフェースカバー(３)の交換等のために本体キャビネット(１)からインターフェースカバー(３)を取り外すときは、先ず図５(ｂ)の如く本体キャビネット(１)から電池パック(７)を取り外し、抜け止め片(８)の摘み部(82)を把持して抜け止め片(８)を引き抜いた後、インターフェースカバー(３)を本体キャビネット(１)から引き抜く。
この様にして、本体キャビネット(１)を分解することなく、本体キャビネット(１)からインターフェースカバー(３)を容易に取り外すことが出来る。
【００２５】
上述の如く本発明に係る折り畳み式携帯電話機によれば、本体キャビネット(１)を組み立てた後に、本体キャビネット(１)の２つの挿入孔(41)(17)にインターフェースカバー(３)のアーム部(32)及び抜け止め片(８)の楔状部(81)を挿入するだけで、インターフェースカバー(３)を本体キャビネット(１)に取り付けることが出来る。
この状態で、インターフェースカバー(３)に大きな引き抜き力が作用したとしても、抜け止め片(８)によってインターフェースカバー(３)の凹部(33)と本体キャビネット(１)の凸部(15)との離脱が阻止されているので、インターフェースカバー(３)が本体キャビネット(１)から外れることはない。
然も、インターフェースカバー(３)の交換などのためにインターフェースカバー(３)を取り外す際は、本体キャビネット(１)を分解する必要はない。
【図面の簡単な説明】
【００２６】
【図１】本発明に係る折り畳み式携帯電話機の斜視図である。
【図２】本体キャビネットの背面を示す斜視図である。
【図３】本体キャビネットからインターフェースカバーと抜け止め片を分解した状態を示す斜視図である。
【図４】本体キャビネットにインターフェースカバーと抜け止め片を組み付けた状態を示す斜視図である。
【図５】本体キャビネットにインターフェースカバーを取り付ける一連の工程を示す断面図である。
【図６】従来の携帯電話機において本体キャビネットからインターフェースカバーを取り外した状態を示す一部破断斜視図である。
【図７】同上状態を示す一部破断平面図である。
【図８】従来の携帯電話機において本体キャビネットにインターフェースカバーを取り付けた状態を示す一部破断斜視図である。
【図９】同上状態を示す一部破断平面図である。
【符号の説明】
【００２７】
(１)  本体キャビネット
(13)  電池パック収容室
(15)  凸部
(16)  壁面
(17)  挿入孔
(18)  アーム部収容室
(３)  インターフェースカバー
(31)  カバー部
(32)  アーム部
(33)  凹部
(４)  開口部
(41)  挿入孔
(５)  インターフェース
(７)  電池パック
(８)  抜け止め片
(81)  楔状部
(82)  摘み部
【図１】
2005159895.tif 000003
【図２】
2005159895.tif 000004
【図３】
2005159895.tif 000005
【図４】
2005159895.tif 000006
【図５】
2005159895.tif 000007
【図６】
2005159895.tif 000008
【図７】
2005159895.tif 000009
【図８】
2005159895.tif 000010
【図９】
2005159895.tif 000011